(57)【要約】【課題】  より強いマッサージ作用を奏し、繰り返し使用によっても当該マッサージ作用を維持することができる靴下を提供する。【解決手段】  編成組織１０は、地糸１１を用いてゴム編にて編み立ててなる編地に、適宜の弾性力を有する弾性糸１２を複数のコースに編み込んむ挿入編を施して構成されている。そして、かかる編成組織１０の予め定めた複数の箇所に、浮き編によるフロート編部１５を形成することによって、浮き編によって浮かされた複数のコースに係る地糸１１，１１，…及び弾性糸１２，１２，…を束ねる操作を繰り返して、凸部が形成してある。【選択図】  図３
2010001580.tif 000002
【特許請求の範囲】
【請求項１】
適宜の領域に、１又は複数条の線状の凸部を設けてなる靴下において、
前記領域は、地糸を複数コース編み立てた編地に、所要の弾性力を有する弾性糸を挿入編によって複数コース編み込んでなる編成組織を備え、
前記凸部は、前記編成組織の適宜箇所に、複数コースに係る地糸及び少なくとも１コースに係る弾性糸を浮かせた浮き編を施すことによって形成してある
ことを特徴とする靴下。
【請求項２】
前記編地はゴム編によって編成してある請求項１記載の靴下。
【発明の詳細な説明】
【技術分野】
【０００１】
本発明は靴下に関する。
【背景技術】
【０００２】
靴下の足底部の裏地に複数条の線状の凸部を設け、着用者の足裏にマッサージ作用を与える靴下が開発されている。
そのような靴下として、後記する特許文献１には次のようなものが開示されている。
【０００３】
すなわち、足底部の裏地に、足底部の幅方向へ連続的に形成した複数条の凸部が、足底部の長手方向へ適宜の間隔で設けてあり、各凸部は波形状になしてある。
【０００４】
このような凸部は、異なるコースからなる複数の糸が一の編目に編み込まれるタック編によって編成されており、各凸部が着用者の足裏を刺激してマッサージ作用を与えるようになしてある。
【特許文献１】実用新案登録第３０７６７０２号公報
【発明の開示】
【発明が解決しようとする課題】
【０００５】
しかしながら、このような従来の靴下にあっては次のような問題があった。
すなわち、各凸部によるマッサージ作用は、各凸部の高さ寸法が大きいほど強いが、従来の靴下にあっては各凸部がタック編によって編成されているため、各凸部の高さ寸法を大きくするには、より多くのコースに係る各糸を一の編目に編み込まなけれならない。しかし、一の針のフック部に係合させることができる糸の数には限度があるため、各凸部の高さ寸法を更に高くすることができず、より強いマッサージ作用を奏する靴下を提供することができなかった。
【０００６】
更に、従来の靴下にあっては、より強いマッサージ作用を奏すべく、一の針のフック部に可及的に多くのコースに係る糸を係合させて、各凸部の高さ寸法を大きくなした場合であっても、各凸部が綿糸又はナイロン糸等の低伸縮性の糸を用いて編み立ててあるため、当該靴下の着用及び洗濯といった繰り返し使用によって、各凸部の高さ寸法が次第に低くなる、所謂ダレが生じ、マッサージ作用が低下していた。
【０００７】
本発明は、斯かる事情に鑑みてなされたものであって、より強いマッサージ作用を奏し、繰り返し使用によっても当該マッサージ作用を維持することができる靴下を提供する。
【課題を解決するための手段】
【０００８】
（１）本発明に係る靴下は、適宜の領域に、１又は複数条の線状の凸部を設けてなる靴下において、前記領域は、地糸を複数コース編み立てた編地に、所要の弾性力を有する弾性糸を挿入編によって複数コース編み込んでなる編成組織を備え、前記凸部は、前記編成組織の適宜箇所に、複数コースに係る地糸及び少なくとも１コースに係る弾性糸を浮かせた浮き編を施すことによって形成してあることを特徴とする。
前述した領域は、靴下の足底部、足甲部、及び／又は身部等、適宜の部分に設定することができる。
【０００９】
一方、線状の凸部は、波形状、直線状、及び／又はＶ字状等、種々の線形状にすることができ、必要に応じて連続的又は不連続的になすことができる。また、凸部は編成組織の表目側及び／又は裏目側に形成することができる。
【００１０】
本発明の靴下にあっては、凸部を浮き編によって形成するため、凸部の高さ寸法を大きくすべく、より多くのコースに係る地糸及び弾性糸を束ねる場合であっても、一の針のフック部に係合させることができる糸の数に制限されること無く、容易・確実に実施することができ、より多くのコースに係る地糸及び弾性糸を束ねることによって、凸部の高さ寸法をより高くして、より強いマッサージ作用を奏することできる。
【００１１】
また、かかる凸部には、少なくとも１コースに係る弾性糸が編み込まれているため、当該凸部は伸縮性を有し、これによって凸部の形状が維持される。また、凸部は、外圧によって変形しても元の形状に復帰されるので、凸部の高さ寸法をより高くして、繰り返し使用した場合であっても、凸部によるマッサージ作用を維持することができる。
【００１２】
更に、凸部の周囲の編成組織も弾性糸によって伸縮力を有するため、凸部に対して、外圧によって変形しようとする力に抗する力を与えることができ、凸部の高さ寸法をより高くして、繰り返し使用した場合であっても、凸部の形状、つまりマッサージ作用が維持される。
【００１３】
（２）本発明に係る靴下は、必要に応じて、前記編地はゴム編によって編成してあることを特徴とする。
本発明の靴下にあっては、前述した領域の編地がゴム編によって編成してあるため、編地が更に伸縮力を有する。従って、より強いマッサージ作用を更に維持することができる。
【発明を実施するための最良の形態】
【００１４】
（本発明の実施形態）
図１は、本発明に係る靴下の正面図である。図１に示した如く、靴下は、口ゴム部１、身部２、及び足部３によって構成されており、更に前記足部３は、踵部３１、足甲部３２、足底部３３、及び爪先部３４を備えている。
【００１５】
口ゴム部１は例えばゴム編にて編成してあり、身部２並びに足部３の踵部３１、足甲部３２及び爪先部３４は、例えば平編、ゴム編若しくはパール編、又はそれらの組み合わせにて編成してある。
一方、足部３の足底部３３は次のように編成してある。
【００１６】
図２は、図１に示した足底部３３の裏地側を示す模式的拡大展開平面図である。
図２に示したように、略長方形の足底部（領域）３３は、適宜の伸縮力を有する編成組織１０に、足底部３３の幅方向へ延設した複数の波形線状の凸部２０，２０，…を足底部３３の長手方向へ適宜の間隔で編み立てて構成されている。各凸部２０，２０，…は編成組織１０の裏目側へ突出するようになしてあり、各凸部２０，２０，…が着用者の足裏に圧接することによって、着用者の足裏に刺激を与えてマッサージ作用を奏するようになっている。
【００１７】
なお、本実施の形態にあっては、波形線状の凸部２０，２０，…を設けた場合について示したが、本発明はこれに限らず、直線状、Ｖ字状等、種々の線形状であってもよい。また、各凸部２０，２０，…は足底部３３の幅方向へ不連続に延設してもよい。
【００１８】
次に、かかる足底部３３の編成組織１０について説明する。
図３は、図２に示した足底部３３の編成組織１０を説明する説明図である。
図３に示したように、編成組織１０は、綿糸又はナイロン糸等の地糸１１，１１，…を用いてゴム編にて編み立ててなる編地に、適宜の弾性力を有する弾性糸１２，１２，…を複数のコースに編み込んむ挿入編を施して構成されている。
【００１９】
かかる弾性糸１２，１２，…としては、例えば、１４０デニール程度のポリウレタン糸を４０デニール程度の２本のウーリーナイロンで被覆してなるダブルカバーリングヤーン（ＤＣＹ）を用いることができる。
【００２０】
そして、このような編成組織１０について、予め定めた複数の箇所に浮き編によるフロート編部１５（，１５，…）を形成することによって、浮き編によって浮かされた複数のコースに係る地糸１１，１１，…及び弾性糸１２，１２，…を束ねる操作を繰り返して、前述した凸部２０，２０，…（図２参照）が形成してある。
【００２１】
すなわち、フロート編部１５にあっては、編地の編成中に特定の針を不作動位置に置いてその針には編糸を供給しないで前の編目を保持するだけにして、この部分の編糸を編地の裏面側に浮かせるため、図３に示したように、複数のコースに係る地糸１１，１１，…及び弾性糸１２，１２，…が編目を形成せずに浮いた状態になっており、これをフロート編部１５にかかる一のループで束ねて凸部２０へと形成していくのである。
【００２２】
このような足底部３３にあっては、凸部２０，２０，…を浮き編によって形成するため、各凸部２０，２０，…の高さ寸法を大きくすべく、より多くのコースに係る地糸１１，１１，…及び弾性糸１２，１２，…を束ねる場合であっても、一の針のフック部に係合させることができる糸の数に制限されること無く、容易・確実に実施することができる。また、より多くのコースに係る地糸１１，１１，…及び弾性糸１２，１２，…を束ねることによって、各凸部２０，２０，…の高さ寸法をより高くして、より強いマッサージ作用を奏することできる。
【００２３】
また、凸部２０，２０，…にも少なくとも１コースに係る弾性糸１２（，１２，…）が編み込まれているため、各凸部２０，２０，…は伸縮性を有し、これによって各凸部２０，２０，…の形状が維持される。また、各凸部２０，２０，…は、外圧によって変形しても元の形状に復帰されるので、前述した如く、各凸部２０，２０，…の高さ寸法をより高くして、繰り返し使用した場合であっても、各凸部２０，２０，…によるマッサージ作用を維持することができる。
【００２４】
一方、足底部３３の編地も伸縮力を有するため、各凸部２０，２０，…に対して、外圧によって変形しようとする力に抗する力を与えることができ、各凸部２０，２０，…の高さ寸法をより高くして、繰り返し使用した場合であっても、各凸部２０,２０，…の形状が維持される。また、着用した場合に着用者の足の形状に拘らず良好にフィットすることができるのに加え、足底部３３に皺が入るのを防止することができる。
【００２５】
なお、本実施の形態では、靴下の足底部３３に複数の凸部２０，２０，…を設けた場合について説明したが、本発明はこれに限らず、靴下の身部２及び足甲部３２等、足底部３３以外の適宜の部分に設けてもよいことはいうまでもない。
【００２６】
また、本実施の形態では、各凸部２０,２０，…は編地の裏目側へ突出させてあるが、本発明はこれに限らず、各凸部２０,２０，…を編地の表目側へ突出させてもよいし、編地の表裏両目側へ突出させてもよい。
【図面の簡単な説明】
【００２７】
【図１】本発明に係る靴下の正面図である。
【図２】図１に示した足底部の裏地側を示す模式的拡大展開平面図である。
【図３】図２に示した足底部の編成組織を説明する説明図である。
【符号の説明】
【００２８】
１    口ゴム部
２    身部
３    足部
１０    編成組織
１１    地糸
１２    弾性糸
１５    フロート編部
２０    凸部
３１    踵部
３２    足甲部
３３    足底部
【図１】
2010001580.tif 000003
【図２】
2010001580.tif 000004
【図３】
2010001580.tif 000005